(57)【特許請求の範囲】
【請求項１】
一枚または複数枚のシートを折り畳んで組み立てられる二重底形箱体の装飾品収容ボックスであって、
表面と背面になる枠形状を有する一対の主板と、
側面になる一対の側板と、
前記一対の主板の間に平行配置される中板と、
前記中板を支持する一対の連結板と、
を備え、
前記中板に装飾品を取り付けて、前記一対の主板のいずれか一方の枠内に前記中板を背景にして前記装飾品を展示する、ことを特徴とする装飾品収容ボックス。
【請求項２】
前記シートの長手方向に突出する差込舌片と、
前記シートの折り目に形成されるスリット形の係止小孔と、
を備え、
前記差込舌片を前記係止小孔に差し込んで前記二重底形箱体を折り畳んだ状態で維持する、ことを特徴とする請求項１に記載の装飾品収容ボックス。
【請求項３】
前記シートの全ての折り目を反対方向に折り畳んで、裏返しにした二重底形箱体に組み立てられる、ことを特徴とする請求項１または２に記載の装飾品収容ボックス。
【請求項４】
前記一対の側板は、前記二重底形箱体を吊り下げるための紐穴をそれぞれ有する、ことを特徴とする請求項１から３のうちいずれか一項に記載の装飾品収容ボックス。
【請求項５】
前記中板は、前記シートの短手方向に突出し、前記装飾品を吊り下げるための引掛用舌片を有する、ことを特徴とする請求項１から４のうちいずれか一項に記載の装飾品収容ボックス。
【請求項６】
前記シートは、前記一対の主板に連結する補助側板を備える、ことを特徴とする請求項１から５のうちいずれか一項に記載の装飾品収容ボックス。
を備える、
【請求項７】
前記シートは、合成樹脂からなる、ことを特徴とする請求項１から６のうちいずれか一項に記載の装飾品収容ボックス。
【発明の詳細な説明】
【技術分野】
【０００１】
本発明は、キーホルダーやピンバッジ、缶バッジ、アクセサリー等の装飾品を収容・展示することができる装飾品収容ボックスに関する。
【背景技術】
【０００２】
小物グッズやアクセサリー等の装飾品は、コレクションの対象にもなっている。このため、これらの小食品を収容し、かつ、展示したいという要望がある。
そのような要望に応じて、装飾品収容ボックスが提案されている。
【先行技術文献】
【特許文献】
【０００３】
【特許文献１】実用新案登録第３０８４９３７号公報
【特許文献２】実用新案登録第３２２４０５１号公報
【発明の概要】
【発明が解決しようとする課題】
【０００４】
従来の装飾品収容ボックスには、蓋を開けなければ収容した装飾品を展示することができないものがある。また、箱自体を立てたり壁に貼り付けたりして装飾品を展示することができないものがある。
特に、従来の装飾品収容ボックスは、展示する装飾品を気分に応じて気軽に変えたり、収容ボックスのデザイン（形状、模様、色彩）を変えたりすることができない。すなわち、展示する装飾品を変えるためには、収容している装飾品を入れ替えなければならない。また、収容ボックスのデザインを変えるためには、新たな収容ボックスを用意しなければならない。
【０００５】
本発明は、小物グッズやアクセサリー等の装飾品を収容・展示することができる装飾品収容ボックスを提供することを目的とする。特に、容易に展示品を変更したり、容易に収ボックスのデザインを変えたりすることができる装飾品収容ボックスを提供することを目的とする。
【課題を解決するための手段】
【０００６】
本発明に係る装飾品収容ボックスの実施態様は、表面と背面になる枠形の一対の主板と、側面になる一対の側板と、前記一対の主板の間に平行配置されて、装飾品が取り付けられる中板と、前記中板を支持する一対の連結板と、を備えるシートからなり、前記シートを折り畳んで二重底形箱体に組立てられる、ことを特徴とする。
【０００７】
また、前記シートの長手方向の端辺から突出する差込舌片と、前記シートの折り目に形成されるスリット形の係止小孔と、を備え、前記差込舌片を前記係止小孔に差し込んで前記二重底形箱体を折り畳んだ状態で維持する、ことを特徴とする。
また、前記シートの全ての折り目を反対方向に折り畳んで、裏返しにした二重底形箱体に組立てられる、ことを特徴とする。
また、前記一対の側板は、前記二重底形箱体を吊り下げるための紐穴をそれぞれ有する、ことを特徴とする。
また、前記中板は、前記シートの短手方向の端辺から突出し、前記装飾品を吊り下げるための引掛用舌片を有する、ことを特徴とする。
また、前記シートは、前記一対の主板に連結する補助側板を備える、ことを特徴とする。
また、前記シートは、合成樹脂からなる、ことを特徴とする。
【発明の効果】
【０００８】
本発明に係る装飾品収容ボックスは、小物グッズやアクセサリー等の装飾品を収容・展示できる。特に、本発明に係る装飾品収容ボックスは、容易に展示品を変更したり箱のデザインを変えたりすることができる。
【図面の簡単な説明】
【０００９】
【図１】装飾品収容ボックス１を示す斜視図である。
【図２】装飾品収容ボックス１（シート２）の展開図である。
【図３】装飾品収容ボックス１の組立方法を示す斜視図である。
【図４】装飾品収容ボックス１の組立方法（裏返し）を示す斜視図である。
【図５】装飾品収容ボックス１（シート２）の変形例を示す展開図である。
【図６】装飾品収容ボックス３を示す斜視図である。
【図７】装飾品収容ボックス３（シート４）の展開図である。
【発明を実施するための形態】
【００１０】
本発明の実施形態に係る装飾品収容ボックス１，３について説明する。
装飾品収容ボックス１，３は、二重底形の組箱（二重底形箱体）である。装飾品収容ボックス１，３の中底（後述する中板１５）に小物グッズやアクセサリー等の装飾品Ｇが取り付けられて、収容保持される。装飾品収容ボックス１，３は、立てた姿勢で壁に貼り付けられたり（吊り下げられたり）、立てた姿勢または寝かせた姿勢でテーブルに置かれたりする。
【００１１】
装飾品収容ボックス１，３は、それぞれ一枚のシート２，４を折り畳んで組み立てられる。装飾品収容ボックス１，３は、いわゆる組箱（トムソン箱）である。一枚の原材シートから、所定形状のシート２，４を刃物で打ち抜き、さらに折り曲げやすくするために所定位置にミシン目や折り目（折線）等が入れられる。
【００１２】
〔装飾品収容ボックス１〕
図１は、装飾品収容ボックス１を示す斜視図である。
図２は、装飾品収容ボックス１（シート２）の展開図である。
装飾品収容ボックス１は、一枚のシート２からなり、第一主板１１、第二主板１２、第一側板１３、第二側板１４、中板１５、第一連結板１６、第二連結板１７を備える。
第一主板１１と第二主板１２は、装飾品収容ボックス１の表面と背面になる同一形状の一対の平板である。第一主板１１と第二主板１２は、それぞれ長方形の枠形状を有する。
第一側板１３と第二側板１４は、装飾品収容ボックス１の側面になる同一形状の一対の平板である。第一側板１３、第二側板１４は、それぞれ、第一主板１１、第二主板１２よりも幅の狭い長方形を有する。
中板１５は、小物グッズやアクセサリー等の装飾品Ｇが取り付けられる平板である。中板１５は、第一主板１１と第二主板１２とほぼ同一形状を有する。
第一連結板１６と第二連結板１７は、中板１５を支持する同一形状の一対の平板である。第一連結板１６と第二連結板１７は、それぞれ、第一側板１３、第二側板１４の半分の幅の長方形を有する。
【００１３】
シート２は、例えば０．３ｍｍ厚の合成樹脂（プラスチック）からなる。シート２は、例えば、ＰＰ（ポリプロピレン）、ＰＥ（ポリエチレン）、ＰＥＴ（ポリエチレンテレフタレート）、ＰＳ（ポリスチレン）、ＰＡ（ナイロン）、ＰＶＤＣ（ポリ塩化ビニリデン）、ＰＶＣ（ポリ塩化ビニル）、ＰＶＡＬ（ポリビニルアルコール）、ＥＶＡＣ（エチレン・酢酸ビニル）からなる。
シート２は、透明や白濁色であり、任意の模様、色彩を印刷等することができる。
【００１４】
一枚のシート２において、左側から右側に向かって、第一主板１１、第一側板１３、第一連結板１６、中板１５、第二連結板１７、第二側板１４、第二主板１２の順に配置される。
各平板の境目には、折り目（折線）が形成され、山折りと谷折りのいずれにも折り曲げる可能に形成される。
【００１５】
シート２の一方の面を面ａ、他方の面を面ｂという。例えば、第一主板１１が面１１ａと面１１ｂを有し、第二主板１２が面１２ａと面１２ｂを有し、面１１ａと面１２ａが面ａを構成し、面１１ｂと面１２ｂが面ｂを構成する。
面１１ａ、面１１ｂ、面１２ａ、面１２ｂ、面１５ａ、面１５ｂは、異なる模様や色彩が印刷される。例えば、面１１ａが赤、面１１ｂが青、面１２ａが黄色、面１２ｂが緑色、面１５ａが白、面１５ｂが灰色である。
面１３ａ、面１３ｂ、面１４ａ、面１４ｂは印刷等は任意であるが、面１１ａ、面１１ｂ、面１２ａ、面１２ｂに合わせて印刷してもよい。
面１６ａ、面１６ｂ、面１７ａ、面１７ｂは、装飾品収容ボックス１の外面に表れないので印刷等はしなくてもよい。
【００１６】
第一主板１１と第二主板１２（シート２の長手方向の両端）には、長手方向に突出する差込舌片１８、１９がそれぞれ２つずつ設けられる。
第一側板１３と第一連結板１６の境目（折り目）、第二連結板１７と第二側板１４の境目（折り目）には、スリット形の係止小孔２１、２２がそれぞれ２つずつ形成される。
【００１７】
中板１５の上辺には、シート２の短手方向に突出する引掛用舌片２３が設けられる。
第一側板１３と第二側板１４の上辺には、シート２の短手方向に突出する舌片２４，２５がそれぞれ設けられる。この舌片２４，２５には、紐穴２６が一つずつ形成される。
【００１８】
図３は、装飾品収容ボックス１の組立方法を示す斜視図である。
装飾品収容ボックス１は、シート２を折り畳んで組み立てられる。具体的には、第一主板１１と第一側板１３を９０°に山折り、第一側板１３と第一連結板１６を１８０°に山折り、第一連結板１６と中板１５を９０°に谷折り、中板１５と第二連結板１７を９０°に山折り、第二連結板１７と第二側板１４を１８０°に谷折り、第二側板１４と第二主板１２を９０°に谷折りにする。
そして、第一主板１１の差込舌片１８を第二連結板１７と第二側板１４の境目の係止小孔２２に差し込む。また、第二主板１２の差込舌片１９を第一側板１３と第一連結板１６の境目の係止小孔２１に差し込む。
差込舌片１８、１９を係止小孔２１、２２に差し込むことにより、シート２を折り畳んだ状態が維持される。つまり、装飾品収容ボックス１が組み立てられる。
【００１９】
装飾品収容ボックス１において、第一主板１１と第二主板１２は、平行に対向配置されて、表面と背面になる。第一主板１１の面１１ａと第二主板１２の面１２ｂが装飾品収容ボックス１の表面と背面になる。
第一側板１３と第二側板１４は、第一主板１１と第二主板１２に対して直交し、平行に対向配置されて、側面になる。第一側板１３の面１３ａと第二側板１４の面１４ｂが装飾品収容ボックス１の側面になる。
中板１５が第一主板１１と第二主板１２の中間に平行配置されて、中底（中間板）になる。中板１５の面１５ｂが第一主板１１側を向き、中板１５の面１５ａが第二主板１２側を向く。
第一連結板１６と第二連結板１７は、中板１５を支持する。第一連結板１６と第二連結板１７は、第一側板１３と第二側板１４の内側に重ねられて、中板１５を装飾品収容ボックス１の前後方向の中間に配置させる。第一連結板１６の面１６ｂが第一側板１３の面１３ｂに密着し、第二連結板１７の面１７ａが第二側板１４の面１４ａに密着する。
【００２０】
装飾品収容ボックス１に装飾品Ｇを収容・展示するときは、装飾品収容ボックス１を立てた姿勢にして、中板１５の引掛用舌片２３にキーホルダー等の装飾品Ｇを引っ掛ける。そして、装飾品Ｇを面１５ｂ側に吊り下げる。装飾品Ｇが複数の場合は、面１５ａ側と面１５ｂ側の両方に吊り下げる。
そして、第一側板１３と第二側板１４から突出する舌片２４，２５の紐穴２６に紐を通し、この紐を使って装飾品収容ボックス１を壁に吊り下げる。装飾品収容ボックス１を第一主板１１が見える姿勢（面１１ａを表面）にし、第二主板１２を壁面に向ける（面１２ｂを背面にする）。
これにより、装飾品収容ボックス１に装飾品Ｇが収容される。さらに第一主板１１（面１１ａ）の赤色の枠内に、灰色の壁（面１５ｂ）を背景にして、装飾品Ｇが展示される。
【００２１】
図４は、装飾品収容ボックス１の組立方法（裏返し）を示す斜視図である。
気分を変えたいときは、装飾品収容ボックス１を前後反転させる。第二主板１２が見える姿勢（面１２ｂを表面）にし、第一主板１１を壁面に向ける（面１１ａを背面にする）。さらに、引掛用舌片２３に引っ掛けた装飾品Ｇを面１５ａに吊り下げ直す。装飾品Ｇが複数の場合は、そのままでよい。
これにより、装飾品収容ボックス１に装飾品Ｇが収容された状態が維持される。さらに第二主板１２（面１２ｂ）の緑色の枠内に、白色の壁（面１５ａ）を背景にして、装飾品Ｇが展示される。
【００２２】
装飾品Ｇがピンバッジや缶バッジ等のときは、中板１５にピンバッジ等を直接取り付ける。中板１５の面１５ａ、１５ｂにピンバッジ等の装飾品Ｇをそれぞれ密着させる。
これにより、第一主板１１（面１１ａ）の赤色の枠内に、灰色の壁（面１５ｂ）を背景にして、装飾品Ｇが展示される。そして、装飾品収容ボックス１を前後反転させると、第二主板１２（面１２ｂ）の緑色の枠内に、白色の壁（面１５ａ）を背景にして、装飾品Ｇが展示される。
【００２３】
さらに気分を変えたいときは、装飾品収容ボックス１を裏返しにして組み立て直す。つまり、全ての折り目を反対方向に折り返す。具体的には、第一主板１１と第一側板１３を９０°に谷折り、第一側板１３と第一連結板１６を１８０°に谷折り、第一連結板１６と中板１５を９０°に山折り、中板１５と第二連結板１７を９０°に谷折り、第二連結板１７と第二側板１４を１８０°に山折り、第二側板１４と第二主板１２を９０°に山折りにする。
そして、第一主板１１の差込舌片１８を第二連結板１７と第二側板１４の境目の係止小孔２２に差し込む。また、第二主板１２の差込舌片１９を第一側板１３と第一連結板１６の境目の係止小孔２１に差し込む。
差込舌片１８、１９を係止小孔２１、２２に差し込むことにより、シート２を折り畳んだ状態が維持される。つまり、装飾品収容ボックス１が裏返して組み立てられる。
【００２４】
これにより、第一主板１１（面１１ｂ）の青色の枠内に、白色の壁（面１５ａ）を背景にして、装飾品Ｇを収容・展示できる。
また、装飾品収容ボックス１を前後反転させると、第二主板１２（面１２ａ）の黄色の枠内に、灰色の壁（面１５ｂ）を背景にして、装飾品Ｇを収容・展示できる。
【００２５】
このように、装飾品収容ボックス１は、装飾品Ｇを収容すると共に、展示形態を容易に変更することができる。すなわち、展示する装飾品Ｇを容易に変えたり、装飾品収容ボックス１のデザイン（模様や色彩）を容易に変えたりすることができる。
【００２６】
〔装飾品収容ボックス１の変形例〕
図５は、装飾品収容ボックス１（シート２）の変形例を示す展開図である。
図５に示すように、装飾品収容ボックス１は、第一主板１１と第二主板１２の形状が長方形に限らず、任意の形状にすることができる。他の部位の形状は、第一主板１１と第二主板１２に比べて上下方向の長さが短く形成されてもよい。
第一主板１１と第二主板１２の形状は、同一の場合に限らず、異なる形状であってもよい。例えば、第一主板１１が図５の様なかまぼこ形、第二主板１２が図２の様な長方形にしてもよい。枠形状も四角形に限らず、円形や楕円形、多角形、星型等にしてもよい。
中板１５の形状は、第一主板１１や第二主板１２等をほぼ同一形状の場合に限らず、異なる形状であってもよい。
引掛用舌片２３の有無は任意である。中板１５に複数の穴を設け、この穴に装飾品Ｇを引っ掛けるようにしてもよい。
舌片２４，２５の有無も任意である。画鋲や両面テープを用いて、装飾品収容ボックス１等を壁に固定してもよい。
【００２７】
〔装飾品収容ボックス３〕
図６は、装飾品収容ボックス３を示す斜視図である。
図７は、装飾品収容ボックス３（シート４）の展開図である。
装飾品収容ボックス３は、六角形の組箱である。装飾品収容ボックス３は、装飾品収容ボックス１と同様に、二重底形の組箱でもある。
【００２８】
装飾品収容ボックス３は、一枚のシート４からなり、第一主板３１、第二主板３２、第一側板３３、第二側板３４、中板３５、第一連結板３６、第二連結板３７を備える。さらに、第一補助側板３８、第二補助側板３９を備える。第一補助側板３８、第二補助側板３９は、第一主板３１と第二主板３２に連結する。
【００２９】
第一主板３１と第二主板３２は、六角形の枠形状を有する。
第一主板３１と第二主板３２（シート４の長手方向の両端）には、長手方向に突出する差込舌片４１、４２がそれぞれ１つずつ設けられる。さらに、第一主板３１の他の辺には、差込舌片４３、４４が設けられる。
中板３５も六角形であり、装飾品Ｇを引っ掛ける舌片を有しない。
第一側板３３と第一連結板３６の境目（折り目）、第二連結板３７と第二側板３４の境目（折り目）には、スリット形の係止小孔４５、４６がそれぞれ２つずつ形成される。
【００３０】
第一補助側板３８と第二補助側板３９は、第二主板３２の他の辺に連結し、第一側板３３と第二側板３４と同一の形状を有する。
第一補助側板３８と第二補助側板３９は、差込片５１、５２を有する。その境目に折り目（折線）が形成され、山折りと谷折りのいずれにも折り曲げる可能に形成される。また、この境目（折り目）には、スリット形の係止小孔５３、５４がそれぞれ１つずつ形成される。
【００３１】
装飾品収容ボックス３は、シート４を折り畳んで、装飾品収容ボックス１と同様に組み立てられる。すなわち、第一補助側板３８、第二補助側板３９、差込片５１、５２をそれぞれ山折りにする。そして、差込片５１、５２を第一主板３１の面３１ｂに密着させる。そして、差込舌片４３、４４をスリット形の係止小孔５３、５４に差し込む。
これにより、シート４を折り畳んだ状態が維持される。つまり、装飾品収容ボックス３が組み立てられる。装飾品収容ボックス３は、装飾品収容ボックス１と同様に、装飾品Ｇを収容・展示できる。
【００３２】
このように、装飾品収容ボックス１，３は、小物グッズやアクセサリー等の装飾品Ｇを収容・展示できる。特に、気分に応じて、容易に展示品（装飾品Ｇ）を変更したり装飾品収容ボックス１，３のデザインを変えたりすることができる。
【００３３】
本発明は、上述した実施形態に限定されるものではなく、この発明の趣旨を逸脱しない範囲において、上述した実施形態に種々の変更を加えたものを含む。すなわち、実施形態で挙げた具体的な形状や構成等は一例にすぎず、適宜変更が可能である。
【００３４】
例えば、シート２，４は、合成樹脂（プラスチック）に限らず、紙等であってもよい。
装飾品収容ボックス１,３の縦横奥行の寸法は、任意に設定することができる。
第一主板１１、第一側板１３、第一連結板１６、中板１５、第二連結板１７、第二側板１４、第二主板１２の順に配置される場合に限らない。例えば、第一主板１１、第一側板１３、第二主板１２、第二側板１４、第二連結板１７、中板１５、第一連結板１６の順に配置されてもよい。
差込舌片と係止小孔を用いずに、面ファスナーや両面テープ等を用いてもよい。
【００３５】
シート２，４は、複数枚のシートを繋げて一枚のシート状にしたものであってもよい。シート２の厚みは、０．３ｍｍに限らず、材料等に応じて適宜変更してもよい。
シート２の材料は、合成樹脂（プラスチック）に限らない。例えば、コート紙や上質紙等であってもよい。
【００３６】
装飾品収容ボックス１,３は、一枚のシートから組み立てられる場合に限らない。複数枚のシートから組み立ててもよい。例えば、一枚目のシート（第一主板１１、第一側板１３、第二主板１２、第二側板１４）で箱体を組み立て、この箱体に二枚目のシート（第一連結板１６、中板１５、第二連結板１７）を取り付けて中底を組み立ててもよい。この場合は、第一連結板１６、第二連結板１７を舌片形状にし、第一側板１３、第二側板１４に係止小孔を設けて、第一連結板１６、第二連結板１７を第一側板１３、第二側板１４の係止小孔に差し込んで固定する。
【符号の説明】
【００３７】
１，３  装飾品収容ボックス（二重底形箱体）  
２，４  シート  
１１  第一主板  
１２  第二主板  
１３  第一側板  
１４  第二側板  
１５  中板  
１６  第一連結板  
１７  第二連結板  
１８，１９  差込舌片  
２１，２２  係止小孔  
２３  引掛用舌片  
２４，２５  舌片  
２６  紐穴  
３１  第一主板  
３２  第二主板  
３３  第一側板  
３４  第二側板  
３５  中板  
３６  第一連結板  
３７  第二連結板  
３８  第一補助側板  
３９  第二補助側板  
４１，４２  差込舌片  
４３，４４  差込舌片  
４５，４６  差込舌片  
５１，５２  差込片  
５３，５４  係止小孔  
【要約】
【課題】小物グッズやアクセサリー等の装飾品を収容・展示することができる装飾品収容ボックスを提供する。
【解決手段】装飾品収容ボックス１は、表面と背面になる枠形の一対の主板１１，１２と、側面になる一対の側板１３，１４と、一対の主板１１，１２の間に平行配置されて、装飾品Ｇが取り付けられる中板１５と、中板１５を支持する一対の連結板１６，１７と、を備える一枚のシート２からなり、シート２を折り畳んで二重底形箱体に組み立てられる。
【選択図】図１【図１】
0006918294.tif 000002
【図２】
0006918294.tif 000003
【図３】
0006918294.tif 000004
【図４】
0006918294.tif 000005
【図５】
0006918294.tif 000006
【図６】
0006918294.tif 000007
【図７】
0006918294.tif 000008